(57)【要約】  データ保護モードと通常モードを任意に選択できるメモリカードを提供することにより、メモリカードの汎用性を高める。
2007052798.tif 000002
【特許請求の範囲】
【請求項１】
メモリ部に格納されたデータの読み出しまたは前記メモリ部へのデータ書き込みを無制限で許可する通常モードと前記読み出しまたは書き込みを制限するデータ保護モードとがユーザにより任意に設定できるモード設定部と、
前記モード設定部で設定されたモードを検出するモード検出部と、
前記モード検出部が検出した前記モード設定部の状態により前記読み出しまたは書き込みを制御するメモリアクセス制御部と、を備えた
持ち運び可能な補助記憶装置。
【請求項２】
所定時間をカウントするタイマ部をさらに備え、
前記データ保護モードでは、前記タイマ部のカウントが所定時間に満たない場合のみ前記読み出しまたは書き込みを許可し、前記タイマ部のカウントが所定時間に達した場合は前記タイマ部からの通知を受けて前記読み出しまたは書き込みを禁止する
請求項１に記載の持ち運び可能な補助記憶装置。
【請求項３】
前記モード設定部は、メモリカード上に設けられたスイッチである
請求項１または２に記載の持ち運び可能な補助記憶装置。
【請求項４】
前記メモリアクセス制御部は、前記モード検出部が検出したモードを前記メモリ部に記憶するとともに、前回記憶したモードと比較して、前記データ保護モードから前記通常モードへモード変更されている場合は、前記メモリ部に格納されたデータを消去する
請求項１または２に記載の持ち運び可能な補助記憶装置。
【請求項５】
パスワードを記憶するパスワード保存部をさらに備え、
前記メモリアクセス制御部は、前記データ保護モードにおいて、前記パスワード保存部に記憶されたパスワードと入力されたパスワードとを比較し、両者が一致した場合に前記読み出しまたは書き込みの制限を解除する
請求項１に記載の持ち運び可能な補助記憶装置。
【発明の詳細な説明】
【技術分野】
【０００１】
本発明は、デジタルデータを書き込み、あるいは読み出し可能なメモリカードであり、このメモリカードを機器に接続したままの状態であっても、第三者によるデータアクセスを禁止できるデータ保護機能を備えた持ち運び可能な補助記憶装置に関する。
【背景技術】
【０００２】
ＳＤカード等のメモリカード（以下、単に「メモリカード」という）や、ＵＳＢメモリ等は、記録媒体にフラッシュメモリを採用する持ち運び可能な補助記憶装置である。これらは小型に設計されていることから、電子データを持ち運ぶのに最適である。例えば、職場と自宅双方にメモリカードを挿入可能なカードスロットを備えたパソコン（ＰＣ）を所有する場合、いちいちＰＣを自宅から職場に、または職場から自宅に持ち運ばなくとも、必要なデータだけをメモリカードに格納して持ち運ぶことが可能である。持ち運び可能な補助記憶装置は、このような便利さが市場の支持を受け、その販売枚数を飛躍的に伸ばしている。【０００３】
業務上の秘密データ等が持ち運び可能な補助記憶装置に格納されることが多い。一方で、その小ささゆえにこれを紛失する機会が多くなっている。持ち運び可能な補助記憶装置が悪意ある第三者の手に渡ってしまえば、業務上のデータは複製され、また、インターネットを通じて流布されるおそれがある。【０００４】
また、近年、ネットワークインフラの整備に伴い、インターネットを通じた電子商取引（いわゆるｅコマース）が行われる機会が増えている。例えば、ユーザは旅先でもオンライン株取引等の電子商取引を行うことがある。ユーザは旅館の客室等に備え付けられたＰＣや、いわゆるインターネットカフェに常設されたＰＣを使って電子商取引を行う。取引に用いられる個人情報（例えば、ユーザＩＤやパスワード、銀行口座番号、電話番号等）が、持ち運び可能な補助記憶装置に格納して持ち運ばれる。旅先のＰＣやインターネットカフェのＰＣに持ち運び可能な補助記憶装置を抜き忘れてしまった場合、個人情報は第三者に自由に利用されてしまう。【０００５】
このように、メモリカード等の持ち運び可能な補助記憶装置はその便利さの反面、セキュリティ保護を確実に行う必要があり、従来からその対策が種々検討されてきた。【０００６】
例えば、メモリカードから情報を読み出す場合に、所定データのダミー領域への書き込みを要求するとともに、メモリカード内にタイマを設け、ダミー書き込みから一定時間の経過をタイマでカウントすることで一定時間経過後のメモリカードからの情報読み出しを禁止する技術が開示されている（例えば、特許文献１を参照）。
【特許文献１】特開平７−２００７６７号公報
【０００７】
上記特許文献１に記載のメモリカードは、情報漏洩対策としては一定の効果を持つ。しかしながら、上記メモリカードでは、第三者によるメモリカード内の情報読み出しを禁ずることはできるが、メモリカードの所有者自身の情報読み出しまで禁止されてしまう。上記特許文献１には、このようなメモリカードの動作を知る所有者であれば、タイマカウントが所定時間を経過する前に、これより短い周期で再度ダミー書き込みを行うことで情報読み出しの禁止を先送りする旨が記載されている。【０００８】
しかし、このようなダミー書き込みを度々ユーザに要求するのでは、メモリカードの使い勝手が大きく損なわれる。データ保護機能を持つメモリカードと一般的な（保護機能のない）メモリカードを複数枚常備することによりこのような事態は回避できるが、ユーザに常に複数枚のメモリカードの常備を要求することはメモリカードの利便性に反する。
【発明の開示】
【０００９】
本発明は、１つの持ち運び可能な補助記憶装置でデータ保護モードと通常モードを任意に選択可能とすることにより、持ち運び可能な補助記憶装置の汎用性を高めることを目的としている。
【００１０】
本発明の持ち運び可能な補助記憶装置は、上記課題を鑑み、データ保護モードと通常モードを任意に選択可能な補助記憶装置である。
【００１１】
本発明によれば、１つの持ち運び可能な補助記憶装置でデータ保護モードと通常モードを任意に選択可能となり、持ち運び可能な補助記憶装置の汎用性を高めることが可能となる。これにより、重要度の低いデータを格納する場合や持ち運び可能な補助記憶装置を共用する場合等は通常モードに設定して自由な読み出し／書き込みを許可し、個人情報等の重要なデータを格納する場合は保護モードに設定することにより情報の自由な読み出し／書き込みを制限する、といった使い分けが１つの持ち運び可能な補助記憶装置で可能となる。
【図面の簡単な説明】
【００１２】
【図１】図１は本発明の実施の形態１におけるメモリカードの構成を示したブロック図である。
【図２Ａ】図２Ａは本発明の実施の形態１におけるメモリカードの表面を示した外観図である。
【図２Ｂ】図２Ｂは本発明の実施の形態１におけるメモリカードの裏面を示した外観図である。
【図３】図３は本発明の実施の形態１におけるメモリカードの他の構成を示したブロック図である。
【図４】図４は本発明の実施の形態１におけるＵＳＢメモリの概要を示した外観図である。
【図５】図５は本発明の実施の形態１におけるメモリカードの動作状態を説明した状態遷移図である。
【符号の説明】
【００１３】
１    モード設定部
２    モード検出部
３    メモリアクセス制御部
４    データバス
５    タイマ
６    不揮発メモリ
７    パスワード保存部
８    パスワード検出部
９    パスワード制御部
１０，２１    スイッチ部
１００    メモリカード
２００    外部機器
２０１    接続インタフェイス
【発明を実施するための最良の形態】
【００１４】
本発明の具体的な実施の形態について以下に説明する。【００１５】
（実施の形態１）
実施の形態１では、持ち運び可能な補助記憶装置として、メモリカードを利用する場合を例示して説明する。【００１６】
図１は、本発明のメモリカード１００のブロック図である。【００１７】
図１において、モード設定部１では、読み出し／書き込みを無制限で許可する通常モードと、読み出し／書き込みを制限するアクセスモードとがユーザの意思により設定され得る。モード検出部２はモード設定部１で設定されたモードを検出する。メモリアクセス制御部３はモード検出部２が検出したモード設定部１の状態により不揮発メモリへのアクセスを制御する。【００１８】
データバス４では、制御信号やデータ等の種々の情報が行き来する。例えば不揮発メモリから情報を読み出す際は、外部機器２００から接続インタフェイス２０１を介してメモリアクセス制御部３に読み出し制御信号および読み出しアドレスが送られる。一方、不揮発メモリに情報を書き込む際は、書き込み制御信号および書き込みアドレスがメモリアクセス制御部３に送られる。【００１９】
タイマ５は、メモリアクセス制御部３が外部機器２００に対して不揮発メモリへのアクセスを許可する許可状態からアクセスを禁止する禁止状態に切り替えるまでの時間を計測する。不揮発メモリ６はデータやプログラムを記憶する。【００２０】
以下、発明のメモリーカードの動作を説明する。【００２１】
図２Ａは本発明の実施の形態１におけるメモリカードの表面を示した外観図である。図２Ｂは本発明の実施の形態１におけるメモリカードの裏面を示した外観図である。【００２２】
ユーザはモード設定部１を用いてメモリカード１００のモードを設定する。ここで、モード設定部１は例えば図２Ａ、Ｂのスイッチ部１０に示すように、機械的スイッチとして構成することが可能である。スイッチ部１０でデータ保護モードをＯＮに設定した場合、データ保護モードに設定される。【００２３】
実施の形態１では、設定可能なモードとしてデータ保護モードと通常モードの２つがあるものとして説明する。ここで、データ保護モードとは、ユーザによるデータアクセスを起点としてタイマで時間カウントし、一定時間を超えた場合には一切のデータアクセスを禁止するモードである。他にも、一定時間経過後はデータ自体を削除、上書きしたり、書き込みあるいは読み出しのいずれか一方のみ防止したりするモード等、モードの内容はどのようなものであってもよい。また、タイマがカウントする一定時間は、ユーザが任意設定できることが望ましい。通常モードは、何の制限もなくユーザにデータアクセスを許可するモードである。さらに、本実施の形態では、モードが２つであることを前提として説明するが、３つ以上のモード、例えば、自由に読み出し／書き込み可能な通常モード、読み出しのみ可能な読み出しモード、読み出し／書き込みの一切を禁止するデータ保護モード、を切り替え可能としてもよい。【００２４】
モード設定部１で、ユーザがメモリカード１００をデータ保護モードに設定している場合の動作を説明する。【００２５】
まず、データ保護モードの状態をモード検出部２に出力する。このモードの検出は、メモリアクセス制御部３が外部機器２００から不揮発メモリ６へのアクセスを検知したことをきっかけに行われる。すなわち、外部機器２００からのアクセス信号、例えば読み出しを制御する制御信号が、接続インタフェイス２０１を介してメモリアクセス制御部３に届いた場合に、メモリアクセス制御部３は、モード検出部２に対して、モード設定部１の現在のモードを通知するように指令を出す。【００２６】
これを受けてモード検出部２は、モードがデータ保護モードであることを検出し、その後メモリアクセス制御部３にモード設定部１がデータ保護モードである旨を通知する。【００２７】
メモリアクセス制御部３は、モード設定部１がデータ保護モードであることを確認し、その後タイマ５を初期化するとともに、タイマ上限値およびタイマ計時信号（計時開始を指示する信号）を出力する。【００２８】
タイマ５はメモリアクセス制御部３からのタイマ計時信号を受けてカウントを開始する。所定のタイマ上限値まで達すると、タイマ上限に達した旨の通知（タイマ上限通知信号）をメモリアクセス制御部３に出力する。メモリアクセス制御部３は、タイマ上限通知信号を入力するまでは、外部機器２００からの接続インタフェイス２０１を介したデータアクセスを許可する。これにより、外部機器２００は、不揮発メモリ６へのデータの書き込み、あるいは不揮発メモリ６からのデータの読み出しを自由に行うことができる。【００２９】
一方、タイマ上限通知信号の入力後に、外部機器２００からのデータアクセス（書き込みあるいは読み出し制御）が発生した場合、メモリアクセス制御部３は、このデータアクセスを禁止する。すなわち、不揮発メモリ６へのデータの書き込み、あるいは不揮発メモリ６からのデータの読み出しを行わない。アクセスの禁止は例えば、外部機器からの読み出し／書き込みを制御する制御信号をクリアすることにより行う。【００３０】
次に、モード設定部１で、ユーザがメモリカード１００を通常モードに設定している場合の動作を説明する。【００３１】
図２Ａ、Ｂにおいて、スイッチ部１０をＯＦＦ側に移動させることで通常モードに設定することが可能となる。この場合は、メモリアクセス制御部３において、外部機器２００からのデータアクセスを何ら制限しない。従って、外部機器２００は、自由にメモリカード１００の不揮発メモリ６上に格納されたデータを読み出し、また不揮発メモリ上にデータを書き込みすることが可能となる。【００３２】
以上、本発明の実施の形態１によれば、１枚のメモリカードでユーザが任意にデータ保護モードと通常モードを選択できるようになり、メモリカードの汎用性を高めることができる。例えば、重要度の低いデータを格納する場合やメモリカードを複数人で共同使用する場合等は、通常モードに設定して第三者による自由な読み出し／書き込みを許可する。個人情報等の重要なデータを格納する場合は、データ保護モードに設定することにより情報の自由な読み出し／書き込みを制限する（タイマカウントにより一定時間経過後のアクセスを禁止する）、といった使い分けが１枚のメモリカードで可能となる。【００３３】
以上、本発明の実施の形態１について説明したが、本発明はこのような実施の形態に限定されるものではなく、本発明の趣旨を損なわない他の態様への応用も可能である。【００３４】
例えば、タイマ５によるカウントの起点について、本実施の形態１では、モード設定部１がデータ保護モードであることを確認後、メモリアクセス制御部３がタイマカウントの開始を指示するように構成したが、外部機器２００によるデータアクセスがあった時点でタイマカウントの開始を指示し、その後、モード設定部１がデータ保護モードであることを検知した場合にタイマカウントを続行、モード設定部１が通常モードであることを検知した場合はタイマカウントの中止を指示するように構成してもよい。【００３５】
また、別途メモリカードが外部機器に挿入されたこと、あるいは接続インタフェイスがインタフェイスに接続されたことを検知してタイマカウントの開始を指示するように構成してもよい。【００３６】
一方、タイマカウントの終点として、本実施の形態１のように一定時間経過を基本としつつ、タイマカウント中に機器の電源がオフされたり、メモリカードが機器から抜かれたりした時点でカウント終了とし、不揮発メモリの記憶内容を消去する構成にしてもよい。また、これら事情を別途検知する検知手段を設け、タイマ５またはメモリアクセス制御部３においてトータルカウント時間を積算する構成にしてもよい。これにより、電源のＯＮ／ＯＦＦ等によるタイマカウントのリセット等の不正行為を防止することが可能となる。【００３７】
さらに、メモリアクセス制御部３は、モード設定部１に設定されたモードを不揮発メモリ６に記憶しておき、前回記憶したモードと比較して、例えば本実施の形態１ではデータ保護モードから通常モードへモード変更がなされていることを検出した場合は、不揮発メモリ６の内部に格納されたデータを強制的に消去するように構成することが望ましい。これにより、第三者がデータ保護モードを通常モードに切り替えて、不揮発メモリの内容を確認しようとする行為を防ぐことが可能となる。【００３８】
また、本実施の形態１では、データ保護モードに設定されている場合、一定時間経過後の不揮発メモリ６へのデータアクセスは、メモリカードの所有者自身であっても制限される。そこで、データ保護モードであっても、特定のパスワードを入力することにより、メモリカードの所有者に対してはデータを開放する構成としてもよい。こうすることにより、第三者からのアクセスを禁止したい一定の情報についても削除してしまうことなく、アクセスを制限することが可能となる。【００３９】
この場合、データ保護モードにおいてアクセスを制限されるデータ領域と、通常モードでのみアクセス可能なデータ領域を不揮発メモリ６上で区別しておくことが望ましい。【００４０】
データ保護モードにおいて一定時間経過後、ユーザに対してパスワードを要求する構成を、図３を用いて説明する。【００４１】
図３は本発明の実施の形態１におけるメモリカードの他の構成を示したブロック図である。図３において、アクセス禁止の状態になった場合、外部機器２００による書き込み、あるいは読み出し制御が発生してもメモリアクセス制御部３において制御信号がクリアされる。この例では、メモリアクセス制御部３は、外部機器２００に対してパスワードの入力を促す信号を送信する。この信号を受けた外部機器２００では、図示しない表示部にパスワードの入力を促す画面を表示するとともに、ユーザによるパスワード入力を待機する。外部機器２００からの特定のパスワードの入力をパスワード検出部８が検出すると、検出したパスワードをパスワード制御部９へ送る。【００４２】
パスワード制御部９は、不揮発メモリ６の一領域を構成または不揮発メモリ６とは別に存在するパスワード保存部７に記憶しているパスワードと、検出したパスワードとを比較する。これら２つのパスワードが一致したら、アクセス禁止状態解除通知がメモリアクセス制御部３へ出力される。【００４３】
通知を受けたメモリアクセス制御部３は、不揮発メモリ６に所望のデータを書き込みあるいは読み出しできる状態に変更するとともに、タイマ５を初期化する。【００４４】
この場合、外部機器２００に対して、ユーザが入力したパスワードが受け入れられた旨を画面表示するよう指示する信号をメモリアクセス制御部３から出力するようにしてもよい。【００４５】
以上により、データ保護機構が解除され、アクセス禁止の状態も解除される。【００４６】
パスワードを設定／変更／解除する場合は、特定のパスワード設定／解除専用の制御方法を外部機器のユーザインタフェイスを用いて入力する。この制御方法をパスワード検出部８が検出すると、検出した処理内容／パスワードをパスワード制御部９へ送る。パスワード制御部９は処理内容に従い、検出したパスワードをパスワード保存部７へ保存／変更したり、パスワード保存部７のパスワードを削除したりする。【００４７】
なお、特定のパスワード設定／変更／解除の制御方法としては、パスワード設定／変更／解除を示す新たな制御信号を利用したり、パスワード設定／変更／解除の新たな制御コマンドを利用したり、通常のアクセスでは使用しない特定のアドレスやデータの組合せでパスワード設定／変更／解除を認識する、等、種々の方法が考えられる。【００４８】
以上、本実施の形態１では、スイッチ部１０としてデータ保護モードと通常モードを切り替える物理的スイッチとしてスライド式のスイッチ機構を説明したが、モード切り替えに応じて凹凸形状を変化させるスイッチやメモリカード１００の端部に設けた爪を折ることでモード切り替えを行うスイッチ等であってもよい。【００４９】
また、本実施の形態１では、メモリカード１００内にタイマ５等を駆動する電源を具備しない例を挙げた。従って、駆動用電源は、外部機器２００にメモリカード１００が挿入された際に、接続インタフェイス２０１を経由して外部機器２００から供給されることになる。しかし、メモリカード１００内に極小な電源部を設け、この電源部からの電力によりタイマ５等が駆動するように構成しても良い。なお、この電源部にはキャパシタやコンデンサといった蓄電機能を有する素子を用いることが望ましい。これにより、メモリカード１００が外部機器２００に挿入されている間に、外部機器２００から供給される電力を接続インタフェイス２０１を介してこの電源部に蓄積することが可能となる。【００５０】
このように、メモリカード１００内に電源部を有することで、メモリカード１００を外部機器２００に挿入していなくても、データ保護モードから通常モードへのモード切り替えを検知して不揮発メモリ６の内容を消去したり、データ保護モードに変更後、外部機器２００への挿入如何に拘わらず、一定期間経過後に不揮発メモリ６の内容を消去したりすることも可能となる。不揮発メモリ６の内容を消去するだけの電力が得られない場合はデータを間引く等により擬似的にデータを消去するようにしてもよい。【００５１】
なお、本実施の形態１では、持ち運び可能な補助記憶装置としてメモリカードを用いた場合を例示して説明したが、他の記憶装置であっても本発明を実現可能である。【００５２】
図４は本発明の実施の形態１におけるＵＳＢメモリの概要を示した外観図である。図４に示すように、ＵＳＢメモリカードにスイッチ部２１を設けた構成としてもよい。ＵＳＢメモリカードは、メモリカードに比してサイズ（特に厚み）が大きいので、スイッチ部２１や内蔵する電源部の設計自由度が高い。特に電源部についてはメモリカードの場合よりも容量の大きいものを利用することができるので好都合である。【００５３】
次に、図５を用いて、モード設定を切り替えたときの動作設定について説明する。【００５４】
図５はメモリアクセス制御部３の制御動作を示した状態遷移図である。図２において、初期状態１１はメモリカードが読み出しまたは書き込みアクセス可能な状態Ｓ０を示す。タイマ計時状態１２はデータ保護のための計時を行っている状態Ｓ１を示し、メモリカードに対しては読み出しまたは書き込みが通常行われる状態を表す。データ保護状態１３は読み出しまたは書き込みアクセスを禁止する状態Ｓ２である。【００５５】
遷移状態１４から１９は、各状態からの状態の変化を示す。各状態における左側の数値は、モードの設定状態を示す。「１」であればデータ保護モード、「０」であれば通常の読み出しまたは書き込みアクセス可能なモードを選択していることを示す。一方、右側はデータ保護状態までの時間が経過したか否かを示す状態で、「１」であればタイマ計時時間が設定値に達した状態、「０」であればタイマ計時時間が設定値に達していない状態を示している。【００５６】
次に、図１のモード設定部１とタイマ５の状態とメモリアクセス制御部３の動作について、図５を用いて説明する。【００５７】
メモリアクセス制御部３は、メモリカード１００が機器に接続された時点で初期状態１１となる（Ｓ０）。初期状態１１でデータ保護モードに設定される場合（遷移状態１５）、タイマ計時状態１２に遷移する（Ｓ１）。また、通常のアクセスモードのままである場合（遷移状態１４）、初期状態１１のまま状態は遷移しない（Ｓ０）。なお、通常モードでは、タイマが上限値に達する場合（図５では０／１に相当）や、初期状態Ｓ０時にデータ保護モードでかつタイマが上限値に達している場合（図５では１／１に相当）は、存在しない。【００５８】
タイマ計時状態１２では、タイマ値を初期化して、時間計測を開始する（Ｓ１）。【００５９】
タイマ計時状態１２で通常アクセスモードに設定を変更した場合（遷移状態１７）は、初期状態１１に遷移し、通常アクセス可能なメモリカードとなる（Ｓ０）。タイマ計時中で上限値に達していない場合（遷移状態１６）は、タイマ計時状態１２のまま状態は推移しない（Ｓ１）。タイマ計時が上限に達した場合（遷移状態１８）は、アクセスを禁止するデータ保護状態１３へ遷移する（Ｓ２）。【００６０】
データ保護状態１３において、データ保護モードの設定で、タイマが上限値に達した場合（遷移状態１９）は、データ保護状態１３の状態から推移しない（Ｓ２）。すなわち、書き込みまたは読み出しが禁止されたままの状態となる。また、タイマ上限値に達しており、この状態から設定モードを通常アクセスモードに変更した場合にも、データ保護状態１３の状態から推移しない（Ｓ２）。すなわち、書き込みまたは読み出しを禁止したままの状態を維持する。これにより、第３者へのデータやプログラムの流出を抑止する。ただし、パスワード認証によりタイマがクリアされた場合（遷移状態２０）は、タイマ上限に達していない状態となり、タイマ計時状態１２へ遷移しアクセス禁止の状態が解除される（Ｓ１）。【００６１】
なお、遷移状態１１〜１３において、現在の状態を不揮発メモリ６上のアクセス状態を格納する領域に都度記録しておくようにすることで、カードが抜き差しされた場合であっても、再度同一カードが挿入された場合に、その状態から復帰するよう構成することが可能である。
【産業上の利用可能性】
【００６２】
本発明に係る補助記憶装置は、デジタルメディアデータやデジタルプログラムを大容量記録媒体に保存しておく場合、機器に挿入したままにした不慮の場合等にも安全にデータを管理できる記録媒体として利用できる。
【図１】
2007052798.tif 000003
【図２Ａ】
2007052798.tif 000004
【図２Ｂ】
2007052798.tif 000005
【図３】
2007052798.tif 000006
【図４】
2007052798.tif 000007
【図５】
2007052798.tif 000008
【手続補正書】
【提出日】平成19年2月28日(2007.2.28)
【手続補正１】
【補正対象書類名】特許請求の範囲
【補正対象項目名】全文
【補正方法】変更
【補正の内容】
【特許請求の範囲】
【請求項１】
メモリ部に格納されたデータの読み出しまたは前記メモリ部へのデータ書き込みを無制限で許可する通常モードと前記読み出しまたは書き込みを制限するデータ保護モードとがユーザにより任意に設定できるモード設定部と、
前記モード設定部で設定されたモードを検出するモード検出部と、
前記モード検出部が検出した前記モード設定部の状態により前記読み出しまたは書き込みを制御するメモリアクセス制御部と、を備え、
前記メモリアクセス制御部は、
前記モード検出部が検出したモードを前記メモリ部に記憶するとともに、前回記憶したモードと比較して、前記データ保護モードから前記通常モードへモード変更されている場合は、前記メモリ部に格納されたデータを消去することを特徴とする
持ち運び可能な補助記憶装置。
【請求項２】
所定時間をカウントするタイマ部をさらに備え、
前記データ保護モードでは、前記タイマ部のカウントが所定時間に満たない場合のみ前記読み出しまたは書き込みを許可し、前記タイマ部のカウントが所定時間に達した場合は前記タイマ部からの通知を受けて前記読み出しまたは書き込みを禁止する
請求項１に記載の持ち運び可能な補助記憶装置。
【請求項３】
前記モード設定部は、メモリカード上に設けられたスイッチである
請求項１または２に記載の持ち運び可能な補助記憶装置。
【請求項４】
（削除）
【請求項５】
パスワードを記憶するパスワード保存部をさらに備え、
前記メモリアクセス制御部は、前記データ保護モードにおいて、前記パスワード保存部に記憶されたパスワードと入力されたパスワードとを比較し、両者が一致した場合に前記読み出しまたは書き込みの制限を解除する
請求項１に記載の持ち運び可能な補助記憶装置。
【手続補正書】
【提出日】平成20年1月9日(2008.1.9)
【手続補正１】
【補正対象書類名】特許請求の範囲
【補正対象項目名】全文
【補正方法】変更
【補正の内容】
【特許請求の範囲】
【請求項１】
メモリ部に格納されたデータの読み出しまたは前記メモリ部へのデータ書き込みを無制限で許可する通常モードと前記読み出しまたは書き込みを制限するデータ保護モードとがユーザにより任意に設定できるモード設定部と、
前記モード設定部で設定されたモードを検出するモード検出部と、
前記モード検出部が検出した前記モード設定部の状態により前記読み出しまたは書き込みを制御するメモリアクセス制御部と、を備え、
前記メモリアクセス制御部は、
前記モード検出部が検出したモードを前記メモリ部に記憶するとともに、前回記憶したモードと比較して、前記データ保護モードから前記通常モードへモード変更されている場合は、前記メモリ部に格納されたデータを消去することを特徴とする
持ち運び可能な補助記憶装置。
【請求項２】
所定時間をカウントするタイマ部をさらに備え、
前記データ保護モードでは、前記タイマ部のカウントが所定時間に満たない場合のみ前記読み出しまたは書き込みを許可し、前記タイマ部のカウントが所定時間に達した場合は前記タイマ部からの通知を受けて前記読み出しまたは書き込みを禁止する
請求項１に記載の持ち運び可能な補助記憶装置。
【請求項３】
前記モード設定部は、メモリカード上に設けられたスイッチである
請求項１または２に記載の持ち運び可能な補助記憶装置。
【請求項４】
パスワードを記憶するパスワード保存部をさらに備え、
前記メモリアクセス制御部は、前記データ保護モードにおいて、前記パスワード保存部に記憶されたパスワードと入力されたパスワードとを比較し、両者が一致した場合に前記読み出しまたは書き込みの制限を解除する
請求項１に記載の持ち運び可能な補助記憶装置。
【手続補正２】
【補正対象書類名】明細書
【補正対象項目名】全文
【補正方法】変更
【補正の内容】
【発明の詳細な説明】
【技術分野】
【０００１】
本発明は、デジタルデータを書き込み、あるいは読み出し可能なメモリカードであり、このメモリカードを機器に接続したままの状態であっても、第三者によるデータアクセスを禁止できるデータ保護機能を備えた持ち運び可能な補助記憶装置に関する。
【背景技術】
【０００２】
ＳＤカード等のメモリカード（以下、単に「メモリカード」という）や、ＵＳＢメモリ等は、記録媒体にフラッシュメモリを採用する持ち運び可能な補助記憶装置である。これらは小型に設計されていることから、電子データを持ち運ぶのに最適である。例えば、職場と自宅双方にメモリカードを挿入可能なカードスロットを備えたパソコン（ＰＣ）を所有する場合、いちいちＰＣを自宅から職場に、または職場から自宅に持ち運ばなくとも、必要なデータだけをメモリカードに格納して持ち運ぶことが可能である。持ち運び可能な補助記憶装置は、このような便利さが市場の支持を受け、その販売枚数を飛躍的に伸ばしている。
【０００３】
業務上の秘密データ等が持ち運び可能な補助記憶装置に格納されることが多い。一方で、その小ささゆえにこれを紛失する機会が多くなっている。持ち運び可能な補助記憶装置が悪意ある第三者の手に渡ってしまえば、業務上のデータは複製され、また、インターネットを通じて流布されるおそれがある。
【０００４】
また、近年、ネットワークインフラの整備に伴い、インターネットを通じた電子商取引（いわゆるｅコマース）が行われる機会が増えている。例えば、ユーザは旅先でもオンライン株取引等の電子商取引を行うことがある。ユーザは旅館の客室等に備え付けられたＰＣや、いわゆるインターネットカフェに常設されたＰＣを使って電子商取引を行う。取引に用いられる個人情報（例えば、ユーザＩＤやパスワード、銀行口座番号、電話番号等）が、持ち運び可能な補助記憶装置に格納して持ち運ばれる。旅先のＰＣやインターネットカフェのＰＣに持ち運び可能な補助記憶装置を抜き忘れてしまった場合、個人情報は第三者に自由に利用されてしまう。
【０００５】
このように、メモリカード等の持ち運び可能な補助記憶装置はその便利さの反面、セキュリティ保護を確実に行う必要があり、従来からその対策が種々検討されてきた。
【０００６】
例えば、メモリカードから情報を読み出す場合に、所定データのダミー領域への書き込みを要求するとともに、メモリカード内にタイマを設け、ダミー書き込みから一定時間の経過をタイマでカウントすることで一定時間経過後のメモリカードからの情報読み出しを禁止する技術が開示されている（例えば、特許文献１を参照）。
【特許文献１】特開平７−２００７６７号公報
【０００７】
上記特許文献１に記載のメモリカードは、情報漏洩対策としては一定の効果を持つ。しかしながら、上記メモリカードでは、第三者によるメモリカード内の情報読み出しを禁ずることはできるが、メモリカードの所有者自身の情報読み出しまで禁止されてしまう。上記特許文献１には、このようなメモリカードの動作を知る所有者であれば、タイマカウントが所定時間を経過する前に、これより短い周期で再度ダミー書き込みを行うことで情報読み出しの禁止を先送りする旨が記載されている。
【０００８】
しかし、このようなダミー書き込みを度々ユーザに要求するのでは、メモリカードの使い勝手が大きく損なわれる。データ保護機能を持つメモリカードと一般的な（保護機能のない）メモリカードを複数枚常備することによりこのような事態は回避できるが、ユーザに常に複数枚のメモリカードの常備を要求することはメモリカードの利便性に反する。
【発明の開示】
【０００９】
本発明は、１つの持ち運び可能な補助記憶装置でデータ保護モードと通常モードを任意に選択可能とすることにより、持ち運び可能な補助記憶装置の汎用性を高めることを目的としている。
【００１０】
本発明の持ち運び可能な補助記憶装置は、上記課題を鑑み、データ保護モードと通常モードを任意に選択可能な補助記憶装置である。
【００１１】
本発明によれば、１つの持ち運び可能な補助記憶装置でデータ保護モードと通常モードを任意に選択可能となり、持ち運び可能な補助記憶装置の汎用性を高めることが可能となる。これにより、重要度の低いデータを格納する場合や持ち運び可能な補助記憶装置を共用する場合等は通常モードに設定して自由な読み出し／書き込みを許可し、個人情報等の重要なデータを格納する場合は保護モードに設定することにより情報の自由な読み出し／書き込みを制限する、といった使い分けが１つの持ち運び可能な補助記憶装置で可能となる。
【発明を実施するための最良の形態】
【００１２】
本発明の具体的な実施の形態について以下に説明する。
【００１３】
（実施の形態１）
実施の形態１では、持ち運び可能な補助記憶装置として、メモリカードを利用する場合を例示して説明する。
【００１４】
図１は、本発明のメモリカード１００のブロック図である。
【００１５】
図１において、モード設定部１では、読み出し／書き込みを無制限で許可する通常モードと、読み出し／書き込みを制限するアクセスモードとがユーザの意思により設定され得る。モード検出部２はモード設定部１で設定されたモードを検出する。メモリアクセス制御部３はモード検出部２が検出したモード設定部１の状態により不揮発メモリへのアクセスを制御する。
【００１６】
データバス４では、制御信号やデータ等の種々の情報が行き来する。例えば不揮発メモリから情報を読み出す際は、外部機器２００から接続インタフェイス２０１を介してメモリアクセス制御部３に読み出し制御信号および読み出しアドレスが送られる。一方、不揮発メモリに情報を書き込む際は、書き込み制御信号および書き込みアドレスがメモリアクセス制御部３に送られる。
【００１７】
タイマ５は、メモリアクセス制御部３が外部機器２００に対して不揮発メモリへのアクセスを許可する許可状態からアクセスを禁止する禁止状態に切り替えるまでの時間を計測する。不揮発メモリ６はデータやプログラムを記憶する。
【００１８】
以下、発明のメモリーカードの動作を説明する。
【００１９】
図２Ａは本発明の実施の形態１におけるメモリカードの表面を示した外観図である。図２Ｂは本発明の実施の形態１におけるメモリカードの裏面を示した外観図である。
【００２０】
ユーザはモード設定部１を用いてメモリカード１００のモードを設定する。ここで、モード設定部１は例えば図２Ａ、Ｂのスイッチ部１０に示すように、機械的スイッチとして構成することが可能である。スイッチ部１０でデータ保護モードをＯＮに設定した場合、データ保護モードに設定される。
【００２１】
実施の形態１では、設定可能なモードとしてデータ保護モードと通常モードの２つがあるものとして説明する。ここで、データ保護モードとは、ユーザによるデータアクセスを起点としてタイマで時間カウントし、一定時間を超えた場合には一切のデータアクセスを禁止するモードである。他にも、一定時間経過後はデータ自体を削除、上書きしたり、書き込みあるいは読み出しのいずれか一方のみ防止したりするモード等、モードの内容はどのようなものであってもよい。また、タイマがカウントする一定時間は、ユーザが任意設定できることが望ましい。通常モードは、何の制限もなくユーザにデータアクセスを許可するモードである。さらに、本実施の形態では、モードが２つであることを前提として説明するが、３つ以上のモード、例えば、自由に読み出し／書き込み可能な通常モード、読み出しのみ可能な読み出しモード、読み出し／書き込みの一切を禁止するデータ保護モード、を切り替え可能としてもよい。
【００２２】
モード設定部１で、ユーザがメモリカード１００をデータ保護モードに設定している場合の動作を説明する。
【００２３】
まず、データ保護モードの状態をモード検出部２に出力する。このモードの検出は、メモリアクセス制御部３が外部機器２００から不揮発メモリ６へのアクセスを検知したことをきっかけに行われる。すなわち、外部機器２００からのアクセス信号、例えば読み出しを制御する制御信号が、接続インタフェイス２０１を介してメモリアクセス制御部３に届いた場合に、メモリアクセス制御部３は、モード検出部２に対して、モード設定部１の現在のモードを通知するように指令を出す。
【００２４】
これを受けてモード検出部２は、モードがデータ保護モードであることを検出し、その後メモリアクセス制御部３にモード設定部１がデータ保護モードである旨を通知する。
【００２５】
メモリアクセス制御部３は、モード設定部１がデータ保護モードであることを確認し、その後タイマ５を初期化するとともに、タイマ上限値およびタイマ計時信号（計時開始を指示する信号）を出力する。
【００２６】
タイマ５はメモリアクセス制御部３からのタイマ計時信号を受けてカウントを開始する。所定のタイマ上限値まで達すると、タイマ上限に達した旨の通知（タイマ上限通知信号）をメモリアクセス制御部３に出力する。メモリアクセス制御部３は、タイマ上限通知信号を入力するまでは、外部機器２００からの接続インタフェイス２０１を介したデータアクセスを許可する。これにより、外部機器２００は、不揮発メモリ６へのデータの書き込み、あるいは不揮発メモリ６からのデータの読み出しを自由に行うことができる。
【００２７】
一方、タイマ上限通知信号の入力後に、外部機器２００からのデータアクセス（書き込みあるいは読み出し制御）が発生した場合、メモリアクセス制御部３は、このデータアクセスを禁止する。すなわち、不揮発メモリ６へのデータの書き込み、あるいは不揮発メモリ６からのデータの読み出しを行わない。アクセスの禁止は例えば、外部機器からの読み出し／書き込みを制御する制御信号をクリアすることにより行う。
【００２８】
次に、モード設定部１で、ユーザがメモリカード１００を通常モードに設定している場合の動作を説明する。
【００２９】
図２Ａ、Ｂにおいて、スイッチ部１０をＯＦＦ側に移動させることで通常モードに設定することが可能となる。この場合は、メモリアクセス制御部３において、外部機器２００からのデータアクセスを何ら制限しない。従って、外部機器２００は、自由にメモリカード１００の不揮発メモリ６上に格納されたデータを読み出し、また不揮発メモリ上にデータを書き込みすることが可能となる。
【００３０】
以上、本発明の実施の形態１によれば、１枚のメモリカードでユーザが任意にデータ保護モードと通常モードを選択できるようになり、メモリカードの汎用性を高めることができる。例えば、重要度の低いデータを格納する場合やメモリカードを複数人で共同使用する場合等は、通常モードに設定して第三者による自由な読み出し／書き込みを許可する。個人情報等の重要なデータを格納する場合は、データ保護モードに設定することにより情報の自由な読み出し／書き込みを制限する（タイマカウントにより一定時間経過後のアクセスを禁止する）、といった使い分けが１枚のメモリカードで可能となる。
【００３１】
以上、本発明の実施の形態１について説明したが、本発明はこのような実施の形態に限定されるものではなく、本発明の趣旨を損なわない他の態様への応用も可能である。
【００３２】
例えば、タイマ５によるカウントの起点について、本実施の形態１では、モード設定部１がデータ保護モードであることを確認後、メモリアクセス制御部３がタイマカウントの開始を指示するように構成したが、外部機器２００によるデータアクセスがあった時点でタイマカウントの開始を指示し、その後、モード設定部１がデータ保護モードであることを検知した場合にタイマカウントを続行、モード設定部１が通常モードであることを検知した場合はタイマカウントの中止を指示するように構成してもよい。
【００３３】
また、別途メモリカードが外部機器に挿入されたこと、あるいは接続インタフェイスがインタフェイスに接続されたことを検知してタイマカウントの開始を指示するように構成してもよい。
【００３４】
一方、タイマカウントの終点として、本実施の形態１のように一定時間経過を基本としつつ、タイマカウント中に機器の電源がオフされたり、メモリカードが機器から抜かれたりした時点でカウント終了とし、不揮発メモリの記憶内容を消去する構成にしてもよい。また、これら事情を別途検知する検知手段を設け、タイマ５またはメモリアクセス制御部３においてトータルカウント時間を積算する構成にしてもよい。これにより、電源のＯＮ／ＯＦＦ等によるタイマカウントのリセット等の不正行為を防止することが可能となる。
【００３５】
さらに、メモリアクセス制御部３は、モード設定部１に設定されたモードを不揮発メモリ６に記憶しておき、前回記憶したモードと比較して、例えば本実施の形態１ではデータ保護モードから通常モードへモード変更がなされていることを検出した場合は、不揮発メモリ６の内部に格納されたデータを強制的に消去するように構成することが望ましい。これにより、第三者がデータ保護モードを通常モードに切り替えて、不揮発メモリの内容を確認しようとする行為を防ぐことが可能となる。
【００３６】
また、本実施の形態１では、データ保護モードに設定されている場合、一定時間経過後の不揮発メモリ６へのデータアクセスは、メモリカードの所有者自身であっても制限される。そこで、データ保護モードであっても、特定のパスワードを入力することにより、メモリカードの所有者に対してはデータを開放する構成としてもよい。こうすることにより、第三者からのアクセスを禁止したい一定の情報についても削除してしまうことなく、アクセスを制限することが可能となる。
【００３７】
この場合、データ保護モードにおいてアクセスを制限されるデータ領域と、通常モードでのみアクセス可能なデータ領域を不揮発メモリ６上で区別しておくことが望ましい。
【００３８】
データ保護モードにおいて一定時間経過後、ユーザに対してパスワードを要求する構成を、図３を用いて説明する。
【００３９】
図３は本発明の実施の形態１におけるメモリカードの他の構成を示したブロック図である。図３において、アクセス禁止の状態になった場合、外部機器２００による書き込み、あるいは読み出し制御が発生してもメモリアクセス制御部３において制御信号がクリアされる。この例では、メモリアクセス制御部３は、外部機器２００に対してパスワードの入力を促す信号を送信する。この信号を受けた外部機器２００では、図示しない表示部にパスワードの入力を促す画面を表示するとともに、ユーザによるパスワード入力を待機する。外部機器２００からの特定のパスワードの入力をパスワード検出部８が検出すると、検出したパスワードをパスワード制御部９へ送る。
【００４０】
パスワード制御部９は、不揮発メモリ６の一領域を構成または不揮発メモリ６とは別に存在するパスワード保存部７に記憶しているパスワードと、検出したパスワードとを比較する。これら２つのパスワードが一致したら、アクセス禁止状態解除通知がメモリアクセス制御部３へ出力される。
【００４１】
通知を受けたメモリアクセス制御部３は、不揮発メモリ６に所望のデータを書き込みあるいは読み出しできる状態に変更するとともに、タイマ５を初期化する。
【００４２】
この場合、外部機器２００に対して、ユーザが入力したパスワードが受け入れられた旨を画面表示するよう指示する信号をメモリアクセス制御部３から出力するようにしてもよい。
【００４３】
以上により、データ保護機構が解除され、アクセス禁止の状態も解除される。
【００４４】
パスワードを設定／変更／解除する場合は、特定のパスワード設定／解除専用の制御方法を外部機器のユーザインタフェイスを用いて入力する。この制御方法をパスワード検出部８が検出すると、検出した処理内容／パスワードをパスワード制御部９へ送る。パスワード制御部９は処理内容に従い、検出したパスワードをパスワード保存部７へ保存／変更したり、パスワード保存部７のパスワードを削除したりする。
【００４５】
なお、特定のパスワード設定／変更／解除の制御方法としては、パスワード設定／変更／解除を示す新たな制御信号を利用したり、パスワード設定／変更／解除の新たな制御コマンドを利用したり、通常のアクセスでは使用しない特定のアドレスやデータの組合せでパスワード設定／変更／解除を認識する、等、種々の方法が考えられる。
【００４６】
以上、本実施の形態１では、スイッチ部１０としてデータ保護モードと通常モードを切り替える物理的スイッチとしてスライド式のスイッチ機構を説明したが、モード切り替えに応じて凹凸形状を変化させるスイッチやメモリカード１００の端部に設けた爪を折ることでモード切り替えを行うスイッチ等であってもよい。
【００４７】
また、本実施の形態１では、メモリカード１００内にタイマ５等を駆動する電源を具備しない例を挙げた。従って、駆動用電源は、外部機器２００にメモリカード１００が挿入された際に、接続インタフェイス２０１を経由して外部機器２００から供給されることになる。しかし、メモリカード１００内に極小な電源部を設け、この電源部からの電力によりタイマ５等が駆動するように構成しても良い。なお、この電源部にはキャパシタやコンデンサといった蓄電機能を有する素子を用いることが望ましい。これにより、メモリカード１００が外部機器２００に挿入されている間に、外部機器２００から供給される電力を接続インタフェイス２０１を介してこの電源部に蓄積することが可能となる。
【００４８】
このように、メモリカード１００内に電源部を有することで、メモリカード１００を外部機器２００に挿入していなくても、データ保護モードから通常モードへのモード切り替えを検知して不揮発メモリ６の内容を消去したり、データ保護モードに変更後、外部機器２００への挿入如何に拘わらず、一定期間経過後に不揮発メモリ６の内容を消去したりすることも可能となる。不揮発メモリ６の内容を消去するだけの電力が得られない場合はデータを間引く等により擬似的にデータを消去するようにしてもよい。
【００４９】
なお、本実施の形態１では、持ち運び可能な補助記憶装置としてメモリカードを用いた場合を例示して説明したが、他の記憶装置であっても本発明を実現可能である。
【００５０】
図４は本発明の実施の形態１におけるＵＳＢメモリの概要を示した外観図である。図４に示すように、ＵＳＢメモリカードにスイッチ部２１を設けた構成としてもよい。ＵＳＢメモリカードは、メモリカードに比してサイズ（特に厚み）が大きいので、スイッチ部２１や内蔵する電源部の設計自由度が高い。特に電源部についてはメモリカードの場合よりも容量の大きいものを利用することができるので好都合である。
【００５１】
次に、図５を用いて、モード設定を切り替えたときの動作設定について説明する。
【００５２】
図５はメモリアクセス制御部３の制御動作を示した状態遷移図である。図２において、初期状態１１はメモリカードが読み出しまたは書き込みアクセス可能な状態Ｓ０を示す。タイマ計時状態１２はデータ保護のための計時を行っている状態Ｓ１を示し、メモリカードに対しては読み出しまたは書き込みが通常行われる状態を表す。データ保護状態１３は読み出しまたは書き込みアクセスを禁止する状態Ｓ２である。
【００５３】
遷移状態１４から１９は、各状態からの状態の変化を示す。各状態における左側の数値は、モードの設定状態を示す。「１」であればデータ保護モード、「０」であれば通常の読み出しまたは書き込みアクセス可能なモードを選択していることを示す。一方、右側はデータ保護状態までの時間が経過したか否かを示す状態で、「１」であればタイマ計時時間が設定値に達した状態、「０」であればタイマ計時時間が設定値に達していない状態を示している。
【００５４】
次に、図１のモード設定部１とタイマ５の状態とメモリアクセス制御部３の動作について、図５を用いて説明する。
【００５５】
メモリアクセス制御部３は、メモリカード１００が機器に接続された時点で初期状態１１となる（Ｓ０）。初期状態１１でデータ保護モードに設定される場合（遷移状態１５）、タイマ計時状態１２に遷移する（Ｓ１）。また、通常のアクセスモードのままである場合（遷移状態１４）、初期状態１１のまま状態は遷移しない（Ｓ０）。なお、通常モードでは、タイマが上限値に達する場合（図５では０／１に相当）や、初期状態Ｓ０時にデータ保護モードでかつタイマが上限値に達している場合（図５では１／１に相当）は、存在しない。
【００５６】
タイマ計時状態１２では、タイマ値を初期化して、時間計測を開始する（Ｓ１）。
【００５７】
タイマ計時状態１２で通常アクセスモードに設定を変更した場合（遷移状態１７）は、初期状態１１に遷移し、通常アクセス可能なメモリカードとなる（Ｓ０）。タイマ計時中で上限値に達していない場合（遷移状態１６）は、タイマ計時状態１２のまま状態は推移しない（Ｓ１）。タイマ計時が上限に達した場合（遷移状態１８）は、アクセスを禁止するデータ保護状態１３へ遷移する（Ｓ２）。
【００５８】
データ保護状態１３において、データ保護モードの設定で、タイマが上限値に達した場合（遷移状態１９）は、データ保護状態１３の状態から推移しない（Ｓ２）。すなわち、書き込みまたは読み出しが禁止されたままの状態となる。また、タイマ上限値に達しており、この状態から設定モードを通常アクセスモードに変更した場合にも、データ保護状態１３の状態から推移しない（Ｓ２）。すなわち、書き込みまたは読み出しを禁止したままの状態を維持する。これにより、第３者へのデータやプログラムの流出を抑止する。ただし、パスワード認証によりタイマがクリアされた場合（遷移状態２０）は、タイマ上限に達していない状態となり、タイマ計時状態１２へ遷移しアクセス禁止の状態が解除される（Ｓ１）。
【００５９】
なお、遷移状態１１〜１３において、現在の状態を不揮発メモリ６上のアクセス状態を格納する領域に都度記録しておくようにすることで、カードが抜き差しされた場合であっても、再度同一カードが挿入された場合に、その状態から復帰するよう構成することが可能である。
【産業上の利用可能性】
【００６０】
本発明に係る補助記憶装置は、デジタルメディアデータやデジタルプログラムを大容量記録媒体に保存しておく場合、機器に挿入したままにした不慮の場合等にも安全にデータを管理できる記録媒体として利用できる。
【図面の簡単な説明】
【００６１】
【図１】本発明の実施の形態１におけるメモリカードの構成を示したブロック図
【図２Ａ】本発明の実施の形態１におけるメモリカードの表面を示した外観図
【図２Ｂ】本発明の実施の形態１におけるメモリカードの裏面を示した外観図
【図３】本発明の実施の形態１におけるメモリカードの他の構成を示したブロック図
【図４】本発明の実施の形態１におけるＵＳＢメモリの概要を示した外観図
【図５】本発明の実施の形態１におけるメモリカードの動作状態を説明した状態遷移図
【符号の説明】
【００６２】
１    モード設定部
２    モード検出部
３    メモリアクセス制御部
４    データバス
５    タイマ
６    不揮発メモリ
７    パスワード保存部
８    パスワード検出部
９    パスワード制御部
１０，２１    スイッチ部
１００    メモリカード
２００    外部機器
２０１    接続インタフェイス
【手続補正３】
【補正対象書類名】図面
【補正対象項目名】全図
【補正方法】変更
【補正の内容】
【図１】
2007052798.tif 000009
【図２Ａ】
2007052798.tif 000010
【図２Ｂ】
2007052798.tif 000011
【図３】
2007052798.tif 000012
【図４】
2007052798.tif 000013
【図５】
2007052798.tif 000014
【国際調査報告】
2007052798.tif 000015
2007052798.tif 000016
2007052798.tif 000017
2007052798.tif 000018